(57)【要約】【課題】人体の皮膚に直接貼付することが可能であり、血管位置やツボの位置などに貼付することにより、適度のマイナスイオンを常時照射することができ、血行を促進することにより体温の上昇、自然治癒力の向上を図ることができる粘着性のシート状物を提供することを目的とする。【解決手段】マイナスイオンを発生する鉱石の微粉末を粘着剤中に分散、配合してなる粘着性シート状物。【選択図】  なし【特許請求の範囲】
【請求項１】
マイナスイオンを発生する鉱石の微粉末を粘着剤中に分散、配合してなることを特徴とする粘着性シート状物。
【請求項２】
前記鉱石が、希土類元素酸化物を最多成分とするものである請求項１に記載の粘着性シート状物。
【請求項３】
前記鉱石が、モナズ石及び／又はバストネス石である請求項１または２に記載の粘着性シート状物。
【請求項４】
前記鉱石の微粉末の平均粒径が、０．１〜３０μｍの範囲内にある請求項１〜３のいずれかに記載の粘着性シート状物。
【請求項５】
前記鉱石の微粉末が、粘着剤中に１〜３０重量％の範囲内で分散、配合してなる請求項１〜４のいずれかに記載の粘着性シート状物。
【請求項６】
前記粘着剤が、ゴム系粘着剤またはシリコーン系粘着剤である請求項１〜５のいずれかに記載の粘着性シート状物。
【請求項７】
請求項１乃至６のいずれかに記載の粘着性シート状物を粘着剤層とし、この一方の面に表面基材層、他方の面に剥離材層を積層した３層構造からなることを特徴とする粘着シート。
【発明の詳細な説明】
【０００１】
【発明の属する技術分野】
本発明は、特殊な鉱石から発生されるマイナスイオンにより、人体の帯電圧を低下させ、それにより血行を促し、自己回復機能を盛んに働かせて健康を維持、回復できるようにするための粘着性シート状物に関する。
【０００２】
【従来の技術】
従来、人体の血行を促進させる治療具としては、例えば、遠赤外線ストーブや遠赤外線サウナなどが知られている。また、人体の皮膚に直接または間接に貼付することにより、治療を行なう貼付用の治療具としては、粘着シートの中央部に、永久磁石粒を粘着固定した貼付用磁気治療具が知られている。
更に、他の例として、遠赤外線および／または微弱な放射線を放射するセラミックス鉱物を微細に粉砕して得られるセラミックス微粉末をゴムやプラスチックなどの可撓性材料中に配合してなる健康用装着具が知られている（例えば、特許文献１参照）。
【０００３】
【特許文献１】
特開平５−９６０１６号公報（第２−３頁）
【０００４】
【発明が解決しようとする課題】
しかしながら、上記した遠赤外線を用いた治療具は、電気ヒーターなどの熱源を必要としているため、携帯できるものではなく、小型化が困難であるという不都合に加えて、遠赤外線の効果は照射部位に限られ、また、永久磁石を配置した治療具は、肩こりや筋肉痛を伴う患部に貼付することにより、貼付された部位の治療を行なうものであり、体全体の不具合の治療に役立ち得るものではない。
【０００５】
更に、遠赤外線および／または微弱な放射線を放射するセラミックス鉱物の微粉末を使用する健康用装着具は、マイナスイオンを発生するようなものではなく、体全体の血行を促進して自己回復機能を働かせるような機能を有していない。
【０００６】
そこで、本発明は、上記課題を解決するためになされたものであり、人体の皮膚に直接貼付することが可能であり、血管位置やツボの位置などに貼付することにより、適度のマイナスイオンを常時照射することができ、血行を促進することにより体温の上昇、自然治癒力の向上を図ることができる粘着性シート状物を提供することを課題とする。
【０００７】
【課題を解決するための手段】
本発明者等は、上記課題を解決するために、鋭意研究を重ねた結果、マイナスイオンを効率良く発生できる特殊な鉱石の微粉末を用いて、これを特定の粘着剤中に分散、配合することにより、実用上極めて望ましい粘着性のシート状物を開発し、本発明を完成させた。
【０００８】
すなわち、本発明は、マイナスイオンを発生する鉱石の微粉末を粘着剤中に分散、配合してなる粘着性シート状物であり、前記鉱石が希土類元素酸化物を最多成分とするものが好ましく、更にモナズ石及び／又はバストネズ石であるものが好適である。また、鉱石の微粉末が平均粒径０．１〜３０μｍの範囲内であることがより好ましい。更に、前記粘着剤の成分として、ゴム系粘着剤またはシリコーン系粘着剤であることが好ましい。更にまた、前記鉱石が、粘着剤中に１〜３０重量％の範囲内で分散、配合してなる粘着性のシート状物であることが好ましい。
【０００９】
また、本発明の粘着シートは、前記粘着性シート状物を粘着剤層とし、この一方の面に表面基材層、他方の面に剥離材層を積層した３層構造からなっている。
【００１０】
【発明の実施の形態】
本発明の粘着性シート状物は、これを肩こりや筋肉痛を伴う患部、あるいは人体のツボに直接貼付することで、特殊な鉱石から発生されるマイナスイオンを利用して、人体の帯電圧を低下させ、それにより血行を促し、自己回復機能を盛んに働かせて健康を維持、回復できるようにしたものである。
本発明はさらに、持ち運びや保管を考慮して、この粘着性シート状物を基材上に塗布したり、あるいは粘着性シート状物を粘着剤層として、この一方の面に表面基材層を、他方の面に剥離材層を積層した粘着シートとすることができる。
【００１１】
以下、本発明の粘着性シート状物について、さらに詳細に説明する。
本発明に用いられる鉱石としては、マイナスイオンを発生するものであればよく、中でも希土類元素酸化物を最多成分とする鉱石が好ましい。この希土類元素としては、Ｃｅ、Ｌａ、Ｎｄ、Ｇｄなどが挙げられ、例えば、モナズ石、バストネス石などの鉱石が好ましいが、中でも特に、モナズ石を使用するのがより好ましい。
【００１２】
このモナズ石は、Ｃｅ、Ｌａ、Ｎｄ、Ｇｄなどの希土類元素酸化物を多量に含有している。以下にその分析例（重量％）を挙げる。
モナズ石は、組成式Ｃｅ［ＰＯ４］で代表される鉱石であり、ＣｅＯ２（３２．５％）、Ｐ２Ｏ５（１９．３％）、Ｌａ２Ｏ３（１１．９％）、ＴｈＯ２（７．９％）、Ｎｄ２Ｏ３（６．３％）、Ｇｄ２Ｏ３（４．３％）、ＳｉＯ２（４．１％）、Ａｌ２Ｏ３（２．６％）、Ｙ２Ｏ３（２．３％）、Ｆ（２．０％）、ＴｉＯ２（１．９％）、ＺｒＯ２（１．４％）、Ｆｅ２Ｏ３（１．２％）、ＣａＯ（０．９７％）、Ｄｙ２Ｏ３（０．７２％）、ＳｎＯ２（０．５３％）、ＳＯ３（０．２２％）、Ｕ３Ｏ８（０．１４％）、Ｋ２Ｏ（０．０４％）からなっている。
【００１３】
また、バストネス石は、組成式Ｃｅ［ＦＣＯ３］で代表される鉱石であり、主にＣｅＯ２、Ｌａ２Ｏ３、Ｎｄ２Ｏ３、Ｐｒ６Ｏ１１、Ｓｍ２Ｏ３等を含有している。これらのマイナスイオンを常温で発生する鉱石は、用途・目的に応じて適宜混合して用いることもできる。
【００１４】
本発明の粘着性シート状物を構成する上記鉱石は、微粉末として用いられるが、この微粉末の粒径は、平均粒径が、０．１〜３０μｍの範囲内が好ましく、０．１〜５．０μｍの範囲内がより好ましい。この平均粒径が０．１〜３０μｍの範囲内であると成形性及びマイナスイオン発生量の点で良好なシート状物にすることができる。
【００１５】
なお、本発明に用いられる粘着剤としては、アクリル系の粘着剤を除くものであり、例えば、ゴム系粘着剤やシリコーン系粘着剤などが使用される。アクリル系の粘着剤を使用した場合には、これによって、マイナスイオンが吸収され、マイナスイオンの発生が抑制される。このため、上記したゴム系粘着剤やシリコーン系粘着剤を使用することが好ましい。
ゴム系粘着剤としては、通常、ベースポリマーおよび粘着性付与剤、軟化剤の組み合わせにより構成されるものが挙げられる。
このベースポリマーとしては、天然ゴム、スチレン−イソプレン−スチレン共重合体、スチレン−ブチレン共重合体、スチレン−エチレン−ブチレン−スチレン共重合体、エチレン−酢酸ビニル共重合体、ポリイソブチレン、ポリイソプレンなどが挙げられる。
【００１６】
また、粘着性付与剤としては、テルペン樹脂、脂肪族炭化水素樹脂、脂環族炭化水素樹脂、クマロン−インデン系樹脂、ロジン系樹脂、フェノール系樹脂、キシレン系樹脂、スチレン系樹脂などが挙げられ、軟化剤としては、パラフィン系オイル、ナフテン系オイルなどが用いられ、それぞれ単独もしくは併用することによって構成される。
これらの成分の構成比は、通常、ベースポリマー１０重量％〜５０重量％、粘着付与剤１０重量％〜８０重量％、軟化剤５〜７０重量％の範囲内で適宜配合される。
【００１７】
また、本発明に用いられるシリコーン系粘着剤としては、通常用いられているものであればよく、ジメチルシロキサンおよび／またはフェニルメチルシロキサンを主成分として構成されるものである。
【００１８】
本発明は、上記粘着剤に対し、上記鉱石の微粉末を１〜３０重量％の範囲内で分散、配合してなるものが好ましい。なお、この配合割合は、採用される鉱石の種類によっても異なる場合があるが、上記範囲内で適宜選択すればよい。
【００１９】
本発明の粘着性シート状物は、まず、上記した鉱石を通常用いられている粉砕機などで微粉末状とした後、上記した粘着剤を用いて、この粘着剤中に分散、配合してシート状に成形、例えば、ロール成形して粘着性を有するシート状物を作製すればよい。
本発明の粘着性シート状物の厚さは、特に制限はなく、用途に応じて適宜選択すればよい。
なお、粘着性シート状物としては、シート形状が一般的であるが、それ以外の各種の形状に成形してもよい。この粘着性シート状物は、これをそのままの状態で患部に貼付してもよく、更にその上から包帯などで押えるようにして使用することもできる。
【００２０】
次に、本発明の粘着シートは、上記粘着性シート状物を粘着剤層とし、この一方の面に表面基材層、他方の面に剥離材層を積層したものであるが、この粘着剤層に薬剤を含有させた粘着シートとしてもよく、例えば、肩こり用あるいは筋肉痛用などとして、これらに適応した薬剤を混入させることもできる。そして、その用途に応じて適宜の箇所に貼付して用いればよい。
【００２１】
この表面基材層として用いられる材料としては、粘着剤層との密着性が良好なものであれば特に制限はなく、例えば、織布、不織布、ポリオレフィンフィルム、ウレタンフィルムなどが挙げられ、これらの単独もしくは複合品が挙げられる。
【００２２】
また、剥離材層としては、剥離処理されたものであれば特に制限はないが、例えば、上質紙などの紙やポリエチレンテレフタレートフィルム、ポリプロピレンフィルムなどに剥離剤をコーティングしたものが挙げられる。
【００２３】
上記した３層構造を有する粘着シートを製造するには、通常、使用される方法を用いて行なえばよいが、この時の成形条件や製造装置等には、公知の方法・装置を用いることができる。
本発明の粘着シートは、肩こりや筋肉痛を伴う部位に貼付することによって、患部の治療や体全体の不具合の治療にも顕著な効果を発揮する。
【００２４】
本発明の粘着性シート状物は、上記したようにマイナスイオンを発生する鉱物の微粉末を含有しているが、マイナスイオンの発生量としては、例えば、上記した厚さ１．０ｍｍのシート状物を縦横５ｃｍの試験片を作成し、この表面を通常用いられるマイナスイオン発生装置：［例えば、アンデス電気社製］を使用して測定した値が、５００個／ｃｍ３以上、好ましくは１０００個／ｃｍ３以上、より好ましくは１２００個／ｃｍ３以上であるが、この値は、鉱石の微粉末の種類、粒径、あるいは配合割合によっても相違するため、５００個／ｃｍ３以上であれば、本発明の目的の効果を達成することができる。
【００２５】
【実施例】
以下、本発明の具体的態様を実施例および比較例により説明するが、本発明はこれらの記載に限定されるものではない。
［実施例１〜６、比較例１〜３］
鉱石として、粒径１．０μｍに粉砕されたモナズ石の微粉末を用いて、これを、粘着剤として、下記に示す粘着剤中に、前記微粉末を表１に示す配合割合で分散、配合した後、厚さ１．５ｍｍのシート状に成形して粘着性シート状物を得た。
次に、この粘着性シート状物を粘着剤層とし、この粘着剤層の一方の面に、ポリオレフィン系樹脂材料からなる表面基材層を設け、他方の面に、ポリエチレンテレフタレートからなる剥離材層を設けて３層構造の粘着シートを作製した。
この粘着シートについて、縦横５ｃｍ×５ｃｍの試験片を切り取り、この表面をマイナスイオン測定器：［アンデス電気社製］でマイナスイオンの発生量を測定し、５００個／ｃｍ３以上を○、１０００個／ｃｍ３以上を◎、５００個／ｃｍ３未満を×とした。また、この試験片を人体に貼付し、血行状態を確認した。これらの結果を表１に示した。
【００２６】
【表１】
2004315592.tif 000002
【００２７】
［評価の結果］
表１に示す結果から明らかなように、実施例１〜６に係る本発明によれば、５００個／ｃｍ３以上のマイナスイオンを発生したのに対し、比較例１〜３に係る参考例では、マイナスイオンを発生することがなかった。また、実施例１〜６では、血行状態について良好な結果が得られたのに対し、比較例１〜３では、血行状態について満足な結果が得られなかった。
【００２８】
【発明の効果】
本発明の粘着性シート状物によれば、人体の皮膚に直接貼付することが可能であり、血管位置やツボの位置などに貼付することにより、マイナスイオンを常時照射することができ、血行を促進することにより体温の上昇、自然治癒力の向上を図ることができる。
また、この粘着性シート状物を基材上に塗布して、薬剤を含む絆創膏状の粘着シートにしたり、あるいは粘着性シート状物を粘着剤層として、この一方の面に表面基材層を、他方の面に剥離材層を積層して、持ち運びや保管に便利な粘着シートとすることもできる。